(57)【要約】【課題】  発光素子の光を効率よく反射し、かつ取付容易で、ホコリなどが溜まらず、さらに発光素子を損傷したり人が感電したりするおそれのない反射板、この反射板を備える面状光源およびこの面状光源を備える看板を提供する。【解決手段】  反射板Ｒは、矩形の底面１１と、外側に傾斜する側壁１２からなり、前記底面１１および前記側壁１２に貫通孔１３が形成されたトレイ１を有し、該トレイ１が上下および左右に複数個並んでおり、すべてのトレイ１が樹脂により一体に形成されている。そして面状光源Ｓは、基板２と、該基板２上に設けられた発光素子２１とを有し、前記基板１に反射板Ｒが取り付けられており、前記貫通孔１３に前記発光素子２１が挿入されている。【選択図】      図１
2011112940.tif 000002
【特許請求の範囲】
【請求項１】
矩形の底面（１１）と、外側に傾斜する側壁（１２）からなり、前記底面（１１）および／または前記側壁（１２）に貫通孔（１３）が形成されたトレイ（１）を有し、
該トレイ（１）が上下および／または左右に複数個並んでおり、
すべてのトレイ（１）が樹脂により一体に形成されていることを特徴とする反射板。
【請求項２】
基板（２）と、該基板（２）上に設けられた発光素子（２１）とを有し、前記基板（２）に請求項１記載の反射板（Ｒ）が取り付けられており、前記貫通孔（１３）に前記発光素子（２１）が挿入されていることを特徴とする面状光源。
【請求項３】
請求項２記載の面状光源（Ｓ）を内蔵することを特徴とする看板。
【発明の詳細な説明】
【技術分野】
【０００１】
本発明は、発光素子の光を効率よく反射する反射板、この反射板を備える面状光源およびこの面状光源を備える看板に関する。
【背景技術】
【０００２】
従来、箱形のケース体と、ケース体の正面側に設けられた扉体とを備え、扉体が表示物を掲示可能な窓部を有し、ケース体内には窓部を背面側から照射する光源が設けられた看板がある。この光源として、近年、省エネルギーの観点から、ＬＥＤが用いられるようになっているが、単にＬＥＤを並べるだけでは正面側以外に向かう光が多くなり効率が悪く、また大きな面積の面内を継ぎ目なく均一に照射することは難しい。そこで、文献１において、ＬＥＤの光を効率よく反射する反射板を備える面状光源が提案されている。これは、ＬＥＤが設けられた基板に、反射部材が設けられたトレイ状の箱体（反射板）を並べて取り付けたものである。
【先行技術文献】
【特許文献】
【０００３】
【特許文献１】国際公開第２００６／００３９１３号
【発明の概要】
【発明が解決しようとする課題】
【０００４】
しかしながら、特許文献１の面状光源は、大型になると、箱体を一つずつ取り付ける作業が繁雑になる。また、箱体同士の間に隙間ができ、ホコリなどが入るおそれがある。さらに、箱体が金属で形成されているため、箱体を電流が流れてＬＥＤを損傷したり、人が感電したりするおそれがある。
【０００５】
本発明は、上記事情を鑑みたものであり、発光素子の光を効率よく反射し、かつ取付容易で、ホコリなどが溜まらず、さらに発光素子を損傷したり人が感電したりするおそれのない反射板、この反射板を備える面状光源およびこの面状光源を備える看板を提供することを目的とする。
【課題を解決するための手段】
【０００６】
本発明のうち請求項１の発明は、矩形の底面と、外側に傾斜する側壁からなり、前記底面および／または前記側壁に貫通孔が形成されたトレイを有し、該トレイが上下および／または左右に複数個並んでおり、すべてのトレイが樹脂により一体に形成されていることを特徴とする。
【０００７】
本発明のうち請求項２の発明は、基板と、該基板上に設けられた発光素子とを有し、前記基板に請求項１記載の反射板が取り付けられており、前記貫通孔に前記発光素子が挿入されていることを特徴とする。
【０００８】
本発明のうち請求項３の発明は、請求項２記載の面状光源を内蔵することを特徴とする。
【発明の効果】
【０００９】
本発明によれば、底面と外側に傾斜する側壁からなるトレイを有し、そこに形成された貫通孔から発光素子が現れる構成であるから、トレイの開口側に向けて発光素子の光を効率よく反射できる。そして、複数のトレイが一体に形成されているから、一部のトレイを基板に固定するだけで全体を固定することができるので、取り付け・取り外しが容易である。また、一体形成によりトレイ同士の間に隙間がないから、ホコリなどが溜まることはない。さらに、トレイは樹脂により形成されているから、電流が流れてＬＥＤを損傷したり人が感電したりすることもない。
【図面の簡単な説明】
【００１０】
【図１】本発明の面状光源の斜視図。
【図２】面状光源の組立図。
【図３】（ａ）反射板の平面図、（ｂ）反射板の側面図、（ｃ）トレイの拡大図。
【発明を実施するための形態】
【００１１】
本発明の反射板および面状光源の具体的な構成について、各図面に基づいて説明する。面状光源Ｓは、図１および図２に示すように、反射板Ｒを基板２に取り付けたものであって、反射板Ｒは、図１〜図３に示すように、トレイ１を上下および左右に並べた形状のものである。より詳しくは、各トレイ１は、正方形の底面１１と、外側に傾斜する側壁１２からなり、底面１１と側壁１２との境目部分に八つの貫通孔１３が形成されており、底面１１の中央には係合孔１４が形成されている。トレイ１は縦に三個、横に四個の計十二個並んでおり、すべてが白色の樹脂により一体に形成されている。なお、樹脂には帯電防止機能を有するものを用いると、ホコリなどが付着しにくく清掃作業が容易になり望ましいので、ここでは表面固有抵抗が６．０×１０９Ωの特殊オレフィン系樹脂を用いた。
【００１２】
一方、基板２は平板状で、上面には各トレイ１の貫通孔１３に対応する位置にＬＥＤからなる発光素子２１が取り付けられている。ただし、図１および図２において、配線は図示省略した。また、各トレイ１の係合孔１４に対応する位置に、被係合孔２２が形成されている。
【００１３】
そして、反射板Ｒと基板２とを組み立てるには、まず基板２上に反射板Ｒを載置する。この際、各トレイ１の貫通孔１３から発光素子２１が現れ、また係合孔１４と被係合孔２２とが連通する。そして、係合孔１４および被係合孔２２にリベット３を挿入して、反射板Ｒと基板２とを結合する。なお、各トレイ１は一体であるから、すべての係合孔１４にリベット３を挿入する必要はなく、ここでは四隅のトレイ１の係合孔１４にのみリベット３が挿入されている。
【００１４】
このように形成した面状光源は、トレイが底面と外側に傾斜する側壁を有し、そこに形成された貫通孔から発光素子が現れているから、開口側に向けて発光素子の光を効率よく反射する。そして、複数のトレイが一体に形成されているから、一部のトレイを基板に固定するだけで全体を固定することができるので、取り付け・取り外しが容易である。また、一体形成によりトレイ同士の間に隙間がないから、ホコリなどが溜まることはない。さらに、トレイは樹脂により形成されているから、電流が流れてＬＥＤを損傷したり人が感電したりすることもない。また、樹脂製のトレイはプレス加工による連続形成が可能なので、生産効率がよく、製造費用を抑えることができる。
【００１５】
なお、この面状光源を箱形のケース体に納め、ケース体の正面側に、表示物を掲示可能な窓部を有する扉体を設けることで、看板が構成される。面状光源は扉体の表示物を背面側から照射するが、トレイが一体形成されていて継ぎ目がないから、発光ムラがなく、均一に照射することができる。
【００１６】
本発明は上記の実施形態に限定されない。反射板を構成するトレイの個数は、対象となる看板の大きさに合わせて増減できるし、面状光源をさらに複数個並べて使用してもよい。また、基板に取り付けられる発光素子の個数も必要な明るさに応じて増減でき、それに合わせて反射板の貫通孔の個数も増減できる。さらに、反射板を構成する樹脂は、光を反射する白系色のものであれば、種々の樹脂を用いることができ、帯電防止機能を有するものであればより好ましい。
【符号の説明】
【００１７】
１  トレイ
２  基板
１１  底面
１２  側壁
１３  貫通孔
２１  発光素子
Ｒ  反射板
Ｓ  面状光源
【図１】
2011112940.tif 000003
【図２】
2011112940.tif 000004
【図３】
2011112940.tif 000005